(57)【要約】【課題】一定度数分の無料通信料を含む通信モードを複数有する無線通信端末であって、発呼前に通信残量を調べ、通信残量がある通信モードで優先的に通信する。これにより通信残量を無駄なく使用することができる無線通信端末を提供する。【解決手段】携帯電話機２は、一定度数分の無料通信料を含む通信モードを複数有する。第１ＩＣカード２１２、第２ＩＣカード２１３はそれぞれ通信モード１、２の通信残量を記憶している。利用者が発呼しようとすると、プロセッサ２０３は通信モード１の通信残量を調べ、残量があった場合に通信モード１での発呼動作を行う。通信モード１の通信残量がない場合、プロセッサ２０３は通信モード２の通信残量を調べる。通信モード２の残量があった場合、プロセッサ２０３は通信モード２に切り換えて発呼動作を行う。プロセッサ２０３は利用者の通信に基づき通信料金を算出し、最新の通信残量を計算する。【選択図】　　　図１
2004072165.tif 000002
【特許請求の範囲】
【請求項１】
所定の通信料が設定された無線通信端末において、
複数の通信モードで通信可能であり、
少なくとも１以上の通信モードの前記通信料に対する通信残量を取得する通信残量取得手段と、
発呼要求された通信モードの通信残量が残っているかを判断する判断手段と、
を有する無線通信端末。
【請求項２】
前記判断手段の判断結果に応じて、呼接続の許否を決定する接続決定手段
を有する請求項１記載の無線通信端末。
【請求項３】
前記通信残量が残っていたと判断された場合に、前記接続決定手段が、前記発呼要求された通信モードで発呼動作を行い、
前記通信残量が残っていないと判断された場合に、前記判断手段が、他の通信モードの通信残量が残っているかを判断する
ことを特徴とする請求項１または２記載の無線通信端末。
【請求項４】
前記接続決定手段は、前記他の通信モードの通信残量が残っていたと判断された場合に、当該他の通信モードへ自動的に切り換えて発呼動作を行い、
前記他の通信モードの通信残量が残っていないと判断された場合に、前記発呼要求された通信モードで発呼動作を行う手段
を有する請求項２または３記載の無線通信端末。
【請求項５】
前記発呼要求された通信モードとして、前回通信終了時の通信モードを選択する選択手段をさらに備える
ことを特徴とする請求項１から４のいずれかに記載の無線通信端末。
【請求項６】
前記通信残量が残っている通信モードでの通信中に、通信残量がなくなった時点で、利用者にその旨を知らせる報知手段
を有する請求項１から４のいずれかに記載の無線通信端末。
【請求項７】
前記通信残量が挿抜可能なカードから読み出される
ことを特徴とする請求項１から５のいずれかに記載の無線通信端末。
【請求項８】
利用者の通信に基づく通信料金を算出する算出手段と、
前記算出手段の算出結果に基づいて、前記カードに記憶された通信残量を更新する更新手段と
をさらに有する請求項１から７のいずれかに記載の無線通信端末。
【請求項９】
前記他の通信モードの通信残量が残っていたと判断された場合に、該通信残量を表示させる表示制御手段
をさらに有する請求項４から７のいずれかに記載の無線通信端末。
【発明の詳細な説明】
【０００１】
【発明の属する技術分野】
本発明は、異なる複数の通信モードが使用可能な携帯電話などの無線通信端末に関する。
【０００２】
【従来の技術】
携帯電話の料金体系は、一般的に月極め料金制であり、基本料金には契約内容により定められる無料通信料が含まれている。無料通信料の超過分については別途従量課金される。
【０００３】
基本料金は通信の有無に係らず月毎に必ず請求される。その際、締切日を過ぎれば無料通信分は使い切っていなかったとしてもリセットされ、翌日に繰り越されることはない料金体系が多い。
【０００４】
ところで、次世代携帯電話と呼ばれるＩＭＴ−２０００（Ｉｎｔｅｒｎａｔｉｏｎａｌ　Ｍｏｂｉｌｅ　Ｔｅｌｅｃｏｍｍｕｎｉｃａｔｉｏｎ　２０００）方式には、ＩＭＴ−２０００　ＤＳ−ＣＤＭＡ（別名Ｗ−ＣＤＭＡ）と、ＩＭＴ−２０００　ＭＣ−ＣＤＭＡ（別名ｃｄｍａ２０００）の２つがある。ｃｄｍａ２０００システムでは、従来のｃｄｍａＯｎｅシステムに割り当てられている８００ＭＨｚ帯域によるサービスと、ＩＭＴ−２０００システムでの世界共通帯域として割り当てられ高速データ通信の可能な２ＧＨｚ帯域によるサービスとを併用して行う。この場合、それぞれの帯域によって独立した料金体系を持つデュアルモード携帯電話が想定されている。
【０００５】
また、国内のみならず海外においても使用可能な携帯電話を考えた場合、国毎の通信モードに応じて、２種類以上の通信モードで通信可能なデュアルモード携帯電話が必要になる。
【０００６】
ここで、例えば２つの通信モードからなるデュアルモード携帯電話の通信残量を知るためには、利用者が所定のファンクションモードによって各電話局へアクセスし、通信料や通信残量を確認するようになっている。
通信残量には、音声通話による通話料の残量だけでなく、データ通信サービス用に用いられるパケット数の残量も含まれている。
【０００７】
【発明が解決しようとする課題】
しかしながら、上記した従来技術の場合、通信の度に実際に利用者がファンクションモードを操作して通信残量を確認することは煩雑である。そのため、例えば通信モード１で通信残量がなくなり、通信モード２で通信残量が残っていた場合、発呼前に利用者がその事実を知らずに通信モード１で通信して課金される一方、通信モード２の無料通信料を有効に使い切れないことがある。
【０００８】
この発明は、このような事情に鑑みてなされたもので、無料通信料を含む通信モードが複数設定された無線通信端末において、利用者が通信残量を無駄なく使用することができる無線通信端末を提供することを目的とする。
【０００９】
【課題を解決するための手段】
上記した目的を達成するために、請求項１記載の無線通信端末は、所定の通信料が設定された無線通信端末において、複数の通信モードで通信可能であり、少なくとも１以上の通信モードの前記通信料に対する通信残量を取得する通信残量取得手段と、発呼要求された通信モードの通信残量が残っているかを判断する判断手段とを有する。
【００１０】
請求項２記載の発明は、請求項１記載の無線通信端末において、前記判断手段の判断結果に応じて、呼接続の許否を決定する接続決定手段を有する。
【００１１】
請求項３記載の発明は、請求項１または２記載の無線通信端末において、前記通信残量が残っていたと判断された場合に、前記接続決定手段が、前記発呼要求された通信モードで発呼動作を行い、前記通信残量が残っていないと判断された場合に、前記判断手段が、他の通信モードの通信残量が残っているかを判断することを特徴とする。
【００１２】
請求項４記載の発明は、請求項２または３記載の無線通信端末において、前記接続決定手段は、前記他の通信モードの通信残量が残っていたと判断された場合に、当該他の通信モードへ自動的に切り換えて発呼動作を行い、前記他の通信モードの通信残量が残っていないと判断された場合に、前記発呼要求された通信モードで発呼動作を行う手段とを有する。
【００１３】
請求項５記載の発明は、請求項１から４のいずれかに記載の無線通信端末において、前記発呼要求された通信モードとして、前回通信終了時の通信モードを選択する選択手段をさらに備えることを特徴とする。
【００１４】
請求項６記載の発明は、請求項１から４のいずれかに記載の無線通信端末において、前記通信残量が残っている通信モードでの通信中に、通信残量がなくなった時点で利用者にその旨を知らせる報知手段を有する。
【００１５】
請求項７記載の発明は、請求項１から５のいずれかに記載の無線通信端末において、前記通信残量が挿抜可能なカードから読み出されることを特徴とする。
【００１６】
請求項８記載の発明は、請求項１から７のいずれかに記載の無線通信端末において、利用者の通信に基づく通信料金を算出する算出手段と、前記算出手段の算出結果に基づいて、前記カードに記憶された通信残量を更新する更新手段とをさらに有する。
【００１７】
請求項９記載の発明は、請求項４から７のいずれかに記載の無線通信端末において、前記他の通信モードの通信残量が残っていたと判断された場合に、該通信残量を表示させる表示制御手段とをさらに有する。
【００１８】
【発明の実施の形態】
以下、図面を参照して本発明の実施の形態を説明する。
図１は、本発明の一実施形態に係る携帯電話機（無線通信端末）２と網側設備１の概略構成を示すブロック図である。図１において網側設備１は、通信モード１のサービスを提供する網側設備１１と、通信モード２のサービスを提供する網側設備１２を有する。通信モード１、２は、それぞれ通信プロトコルや使用周波数帯域などが異なっている。例えば、以下の実施形態では、通信モード１に８００ＭＨｚ帯域、通信モード２に２ＧＨｚ帯域という、異なる周波数帯域による通信サービスを割り当てる。
【００１９】
網側設備１１は、携帯電話機と無線通信する基地局１１１と、携帯電話機間の呼の接続を回線交換する交換局１１２と、各基地局を制御し付加サービスを提供するサービス制御局１１３を有する。
網側設備１２は、それぞれ前記基地局１１１、交換局１１２、サービス制御局１１３に対応する、基地局１２１、交換局１２２、サービス制御局１２３を有する。各サービス制御局１１３、１２３は、移動局情報や、各通信モード１、２で提供するサービス内容を保持するデータベース１２４を有する。
【００２０】
携帯電話機２は、網側設備１の基地局１１１、１２１と通信するためのアンテナ２０１と、ＲＦ回路２０２と、携帯電話機の機能全体の制御をするプロセッサ２０３と、ユーザとのインタフェースとなる表示部２０４及びキー操作部２０５と、スピーカ２０６と、マイクロホン２０７と、プロセッサ２０３によって読み書きされるメモリ２０８と、同時に着脱可能なツインＩＣカードスロット２１０、２１１を有する。
メモリ２０８は、前回通信終了時における通信モードの種類を保持する。
【００２１】
ツインＩＣカードスロット２１０、２１１に抜き差し可能な第１ＩＣカード２１２及び第２ＩＣカード２１３は、Ｒ−ＵＩＭ（Ｒｅｍｏｖａｂｌｅ　Ｕｓｅｒ　Ｉｄｅｎｔｉｔｙ　Ｍｏｄｕｌｅ）の仕様に準拠しており、それぞれ通信モード１、２に対応している。なお、各通信モード１、２の設定はＩＣカードスロット２１０、２１１に挿入された第１ＩＣカード２１２、第２ＩＣカード２１３の保持する情報をそれぞれ読み出すことで行われる。
第１ＩＣカード２１２、第２ＩＣカード２１３は、それぞれ通信モード１、２における通信残量の値、または「無料通信料無し」という情報も保持する。ここで、「無料通信料無し」は、所定のフラグを立てることで表現され、通信モード１、２についてそれぞれフラグＺ１、Ｚ２とおき、例えばＺ１、Ｚ２＝１のとき、通信残量は無くなっていると定義する。
【００２２】
プロセッサ２０３は、スピーカ２０６とマイクロホン２０７の音声制御、表示部２０４と操作部２０５の電気的制御、通信用のＲＦ回路２０２の制御、メモリ２０８の制御の他に、各通信モードの通信残量が残っているかを判断する判断手段、呼接続の許否を決定する接続決定手段、通信モードを切り換える切換手段、任意の通信モードでの発呼動作手段、通信に基づく通信料金を算出する算出手段、第１ＩＣカード２１２、第２ＩＣカード２１３に記憶された無料通信料を更新する更新手段、通信モードの通信残量を表示部２０４に表示させる表示制御手段として機能する。
【００２３】
次に、上記構成の携帯電話機２の動作についてフロー図２、図３を参照して説明する。
【００２４】
図２において、先ず、携帯電話機２に電源投入される（ステップＳ１）。次に、利用者が発呼要求すると、プロセッサ２０３はその旨を取得する（ステップＳ２）。プロフェッサ２０３は、メモリ２０８に記憶されている前回通信終了後の通信モード（本実施例では通信モード１とする）を読み取り、ＩＣカードスロット２１０に挿入された第１ＩＣカード２１２の保持する通信モード１の設定を行う（ステップＳ３）。
【００２５】
プロセッサ２０３は第１ＩＣカード２１２に記憶されている通信モード１のフラグＺ１に「１」がセットされているか否かを判断する（ステップＳ４）。ステップＳ４で「Ｎｏ」、つまり無料通信料が通信モード１について残っている場合、プロセッサ２０３は発呼動作を行う（ステップＳ９）。これにより、利用者は前回の通信終了時における通信モードで無料通信をすることができる。
【００２６】
一方、ステップＳ４で「Ｙｅｓ」、つまり無料通信料が通信モード１について残っていない場合、プロセッサ２０３は、ＩＣカードスロット２１１に挿入された第２ＩＣカード２１３に記憶されている通信モード２のフラグＺ２に、「１」がセットされているか否かを判断する（ステップＳ５）。
【００２７】
ステップＳ５で「Ｙｅｓ」の場合、プロセッサ２０３は発呼動作を行う（ステップＳ９）。
一方、ステップＳ５で「Ｎｏ」の場合、プロセッサ２０３は、通信モード２の通信残量を表示部２０４に表示させる（ステップＳ７）。これは、利用者に通信モード１の通信残量が無くなっていて、通信モード２の通信残量が残っていることを示すためである。次に、プロセッサ２０３は通信モード２の設定を行う（ステップＳ８）。
以上の過程により、通信モードが設定されたので、プロセッサ２０３は発呼動作を行う（ステップＳ９）。
【００２８】
次に、ステップＳ９の発呼がされてから、通信料金を計算して通信残量を更新するフローについて、図３を参照して説明する。以下、通信モード１で発呼動作を行った場合を例とする。
この図において、発呼されると、プロセッサ２０３は計時タイマーをリセットし起動させ、通信時間の測定を開始する（ステップＳ１１）。
【００２９】
通信中、プロセッサ２０３は現在通信を行っている通信モード１の通信料を計算し（ステップＳ１３）、第１ＩＣカード２１２に保持している通信モード１の通信残量と一致するか否かを判断する（ステップＳ１５）。ステップＳ１５で「Ｙｅｓ」、つまり現在の通信料が通信残量と一致し、通信残量がなくなった場合、プロフェッサ２０３はその時点でスピーカ２０６によりブザーを鳴らし、利用者に通信残量がなくなった旨を報知する（ステップＳ１７）。通信モード１での通信はそのまま続行されるが、これ以降通信モード１では課金通信となる。
ステップＳ１５で「Ｎｏ」、つまり現在の通信料が通信残量と一致していない場合、ステップＳ１９の処理に移行する。
利用者が通信を終了すると、プロセッサ２０３は計時タイマーを停止し通信時間の測定を終了する（ステップＳ１９）。
【００３０】
次に、プロセッサ２０３は第１ＩＣカード２１２に保持している通信モード１の通信残量から現在行った通信の通信料を減じ（ステップＳ２１）、その答えを、通信モード１の最新の通信残量として更新し、第１ＩＣカード２１２に記憶させる（ステップＳ２３）。
【００３１】
次に、プロセッサ２０３は、最新の通信残量が０を超えるか否かを判断し（ステップＳ２５）、０以下であった時は通信モード１の無料通信料無しフラグＺ１に「１」をセットする（ステップＳ２７）。
【００３２】
上記は通信モード１で発呼を行った場合であったが、通信モード２で発呼動作を行った場合においても同様の動作を行う。これにより、通信モード２で通信中に、通信モード２の通信残量がなくなったら、プロフェッサ２０３は利用者に報知する。また、通信終了後、プロセッサ２０３は通信モード２での通信残量を更新し、第２ＩＣカード２１３に記憶させ、通信残量が０以下であった時は通信モード２の無料通信料無しフラグＺ２に「１」をセットする。
【００３３】
以上説明したように、本実施形態によれば、利用者が発呼しようとすると、前回の通信終了時における通信モード１を設定し、発呼前に通信モード１の通信残量を調べ、通信モード１の残量がなければ通信モード２の通信残量を調べ、通信モード２の残量があれば、通信モード２に切り換えて発呼する。これにより、複数の通信モードにそれぞれ無料通信料が設定されている場合に、各通信モードの通信残量を一々利用者が調べ、どの通信モードで通信するかを決定しなくても、通信残量を無駄なく使用することができる。
【００３４】
以上、本発明の実施形態について図面を参照して説明してきたが、具体的な構成はこの実施形態に限られるものではなく、本発明の要旨を逸脱しない範囲の設計変更等も含まれる。
【００３５】
例えば、上記実施形態では、携帯電話機２に２つのＩＣカードが装着可能で、２つが独立した料金体系を持つ通信モードに対応する構成としたが、本発明はこれに限定されるものではなく、携帯電話機２に３つ以上のＩＣカードが装着可能であり、ＩＣカードと同数の通信モードに対応する構成としてもよい。
【００３６】
また、上記実施形態における携帯電話機の代わりに、無線通信機能を備えた携帯型パーソナル・コンピュータ又はＰＤＡ（Ｐｅｒｓｏｎａｌ　Ｄｉｇｉｔａｌ　Ａｓｓｉｓｔａｎｃｅ）に本発明を適用してもよい。また、通信モードを通話用だけではなくデータ通信専用で設定して使用することも可能である。
【００３７】
【発明の効果】
以上の説明で明らかなように、本発明によれば、発呼要求された通信モードの通信残量が残っているか否かを発呼前の段階で判断するため、発呼動作する前に、発呼要求された通信モードで無料通信が行えるかどうかを把握することができる。
【００３８】
また、請求項２記載の本発明によれば、通信残量が残っているか否かの判断結果に応じて、発呼するか否かを決定する。そのため、発呼要求された通信モードの通信残量が残っていないにも係らず発呼動作をしてしまい、有料の通信料が生じることがない。
【００３９】
また、請求項３記載の本発明によれば、発呼要求された通信モードにおいて通信残量が残っていた場合、そのまま発呼するので、利用者が余計な操作をせず通信を行うことができる。
また、前回通信終了時の通信モードの通信残量が残っていない場合、他の通信モードの通信残量が残っているか否かを判断するので、他の通信モードで無料通信が行えるかどうかを把握することができる。
【００４０】
また、請求項４記載の本発明によれば、他の通信モードで通信残量が残っていた場合、その通信モードへ自動的に切り換えて発呼動作を行うので、利用者が意識せずとも通信残量が残っている通信モードを無駄なく利用することができる。
他の通信モードで通信残量が残っていない場合、発呼要求された通信モードで発呼するので、通信モードの変更をする手間もなく通信することができる。
【００４１】
また、請求項５記載の本発明によれば、発呼要求された際に前回通信終了時の通信モードを選択するので、前回の通信モードをそのまま利用することができる。
【００４２】
また、請求項６記載の本発明によれば、各通信モードで無料通信中に通信残量がなくなった場合、その時点で利用者にその旨を知らせるようにするので、利用者は通信中でも通信残量がなくなったことを知ることができる。
【００４３】
また、請求項７記載の本発明によれば、挿抜可能なカードが用いられるので、カードによって異なった通信体系や料金体系などを利用でき、あらゆる通信モードに対応した通信ができる。
【００４４】
また、請求項８記載の本発明によれば、利用者の通信に基づき通信残量を更新するので、次に発呼動作を行う場合、更新した通信残量を用いて通信残量の残っている通信モードを正確に判別することができる。
【００４５】
また、請求項９記載の本発明によれば、他の通信モードの通信残量が表示されることにより、利用者に他の通信モードであれば無料通信料が可能であることを知らせることができ、利便性の高い通信端末を提供できる。
【図面の簡単な説明】
【図１】本発明の一実施形態に係る携帯電話機と網側設備の概略構成を示すブロック図である。
【図２】同上の実施形態における携帯電話機の動作を示すフローチャートである。
【図３】同上の実施形態における携帯電話機の動作を示す別のフローチャートである。
【符号の説明】
１…網側設備、２…携帯電話機、１１…通信モード１の網側設備、１２…通信モード２の網側設備、２０３…プロセッサ、２０４…表示部、２０５…キー操作部、２０８…メモリ、２１０…ＩＣカードスロット、２１１…ＩＣカードスロット、２１２…第１ＩＣカード、２１３…第２ＩＣカード
【図１】
2004072165.tif 000003
【図２】
2004072165.tif 000004
【図３】
2004072165.tif 000005